(57)【要約】【課題】  組み付けが容易で、かつ、外れにくく、意図的に外そうとした場合には簡単に取り外すことが出来るスイッチ等の組付構造を提供する。【解決手段】  弾性変形可能な係止弾片１３の先端部に係合爪１４を有する取付部材１と、係合爪１４と係合可能な係合受部２６を有し、係合爪１４に係合受部２６を係合させることにより、取付部材１を組付可能な被取付部材３とを備えたスイッチ等の組付構造において、係合爪１４には、取付部材１と被取付部材３との間に取り外し方向への外力が作用したとき、係合受部２６に係合して係止弾片１３を組み付け時とは異なる方向へ撓ませるように案内する傾斜面１６を設けた。【選択図】  図２
2006236764.tif 000002
【特許請求の範囲】
【請求項１】
弾性変形可能な係止弾片の先端部に係合爪を有する取付部材と、該係合爪と係合可能な係合受部を有し、前記係合爪に前記係合受部を係合させることにより、前記取付部材を組付可能な被取付部材とを備えたスイッチ等の組付構造において、前記係合爪には、前記取付部材と前記被取付部材との間に取り外し方向への外力が作用したとき、前記係合受部に係合して前記係止弾片を組み付け時とは異なる方向へ撓ませるように案内する傾斜面を設けたことを特徴とするスイッチ等の組付構造。
【請求項２】
前記傾斜面によって案内された前記係止弾片の撓みを規制する規制部材を設けたことを特徴とする請求項１に記載のスイッチ等の組付構造。
【発明の詳細な説明】
【技術分野】
【０００１】
本発明は、スイッチ等の組付構造に関する。
【背景技術】
【０００２】
従来、ネジ止め手段を用いることなく、各部品をワンタッチで組み付けが出来るようにしたスイッチ等の組付構造が提案されている。例えば、特許文献１に示すスイッチ装置においては、スイッチ本体を取り付ける基体側に、先端に係合爪を有する弾性変形可能な１対の係止弾片が設けられている。そして、スイッチ本体を基体に取り付ける場合には、この２つの係止弾片の間に係止弾片をたわませながらスイッチ本体を基体側に挿入し、弾性復帰した係止弾片の係合爪をスイッチ本体の縁などに係合させることにより、スイッチ本体を基体にワンタッチで取り付けるようにしている。
【０００３】
【特許文献１】実開平６−６４３３５号公報
【発明の開示】
【発明が解決しようとする課題】
【０００４】
しかしながら、前記従来のスイッチの組み付け構造では、スイッチ本体と基体との間に、取り外し方向へ強い外力が作用すると、係止弾片が外側（係合解除方向）に撓んで、係合爪の係合が解除されてしまう場合がある。本発明は前記問題点に鑑み、組み付けが容易で、かつ、外れにくく、意図的に外そうとした場合には簡単に取り外すことが出来るスイッチ等の組付構造を提供することを目的とする。
【課題を解決するための手段】
【０００５】
本発明は、前記目的を達成するため、スイッチ等の組付構造を、弾性変形可能な係止弾片の先端部に係合爪を有する取付部材と、該係合爪と係合可能な係合受部を有し、前記係合爪に前記係合受部を係合させることにより、前記取付部材を組付可能な被取付部材とを備えたスイッチ等の組付構造において、前記係合爪には、前記取付部材と前記被取付部材との間に取り外し方向への外力が作用したとき、前記係合受部に係合して前記係止弾片を組み付け時とは異なる方向へ撓ませるように案内する傾斜面を設けるようにしたものである。
【０００６】
前記構成によれば、取付部材と被取付部材とを組み付ける場合には、被取付部材に対して組付け方向から取付部材を組み付けると、係合爪が被取付部材の所定の部位に当接することで係止弾片が弾性変形する。そして、係合爪が係合受部に対応する位置まで移動すると、係止弾片が弾性復帰して係合爪が係合受部に係合して、取付部材と被取付部材とが組付けられる。このように、取付部材と被取付部材とをワンタッチで組み付けることができる。
【０００７】
また、取付部材と被取付部材とが組み付けられた状態において、取付部材と被取付部材との間に取り外し方向への外力が作用すると、係止弾片が傾斜面に沿って取り付け時の撓み方向とは異なる方向に撓むようにしている。これにより、取り外し方向への外力を取り付け時の撓み方向とは異なる方向に分散することができる。そのため、取付部材と被取付部材との間に外力が付加されても、係止弾片が組付け時の撓み方向と同じ方向に撓むことを防止でき、係合爪と係合受部との係合が簡単に解除されることがない。
【０００８】
さらに、取付部材と被取付部材とを意図的に取り外す場合には、ドライバなどの工具を用いて、係止弾片を取り付け時の撓み方向と同じ方向に撓ませることにより、係合爪と係合受部との係合を簡単に解除することができる。
【０００９】
また、本発明のスイッチ等の組付構造では、前記傾斜面によって案内された前記係止弾片の撓みを規制する規制部材を設けてもよい。
【００１０】
前記構成によれば、傾斜面による係止弾片の撓みを規制部材によって規制することにより、規制部材側への撓みによって係合爪と係合受部との係合が解除されることを阻止することができる。その結果、取付部材と被取付部材とをさらに強固に固着できる。
【発明の効果】
【００１１】
上述したように、本発明のスイッチの組付構造によれば、簡単な構成にて、取付部材と被取付部材とを容易に、かつ、強固に組み付けることができる。また、意図的に取り外そうとした場合には簡単に取り外すことが可能である。
【発明を実施するための最良の形態】
【００１２】
本実施形態は、本発明のスイッチ等の組付構造を、車両の室内に設置されるサンルーフスイッチに採用したものであり、以下、本発明の実施の形態を図面に従って説明する。図１において、１はベゼルと呼ばれる化粧ケース、２は化粧ケース１を装着する装着孔２ａを備えた車両のトリム、３は化粧ケース１の内部に装着されるスイッチ本体、４はスイッチ本体３を取付穴４ａに挿入して固定する車体のインナーパネルである。なお、本実施形態においては、化粧ケース１が取付部材、スイッチ本体３が被取付部材に相当する。
【００１３】
化粧ケース１は、図１及び図３に示すように、樹脂材料にて横断面略矩形筒状に形成されており、その表面の周囲に、トリム２の装着孔２ａの外側の縁に当接するフランジ部１１と、中央に、スイッチ本体３を挿入する挿入孔１２と、両側面にそれぞれ、組み付け方向（図１中下側）に突設された弾性変形可能な２つの係止弾片１３とを有している。
【００１４】
前記係止弾片１３の先端には、対向する係止弾片１３側にそれぞれ突出する係合爪１４が設けられている。この係合爪１４には、図２に示すように、係止弾片１３の先端が先細りとなるように傾斜した案内面１５と、後述するスイッチ本体３の係合受部に係合する傾斜面１６とが設けられている。この傾斜面１６は、化粧ケース１の外側に向けて傾斜して設けられている。
【００１５】
スイッチ本体３には、図１に示すように、側面２１ａが規制部材となる略箱状の筐体２１と、筐体２１に軸２２によってシーソー式に軸支された操作ノブ２３が設けられ、操作ノブ２３を操作することにより、図示しない接点間がオンオフするようになっている。また、スイッチ本体３の両側面には、ネジ穴２４（図３（ｂ）に図示）を有する板状の固定板２５がそれぞれ突設されている。固定板２５の下面には、化粧ケース１の係合爪１４の傾斜面１６が係合する係合受部２６が側面２１ａに対して並行に延びて突設されている。
【００１６】
次に、化粧ケース１及びスイッチ本体３の組み付け手順について説明する。
【００１７】
まず、スイッチ本体３を車体のインナーパネル４の取付穴４ａに装着し、ネジ止めによって固定する。そして、トリム２をインナーパネル４の表面側の所定の位置に配置した後、装着孔２ａより化粧ケース１をスイッチ本体３に向けて挿入する。
【００１８】
すると、係止弾片１３の係合爪１４の案内面１５がスイッチ本体３の固定板２５の側面に当接して２つの係止弾片１３がそれぞれ、図２中矢印Ａ方向に撓んで広がり、さらに、係合爪１４が係合受部２６に対応する位置まで達すると、係止弾片１３がその弾性によって立ち直ることにより、図４に示すように、係合爪１４の傾斜面１６が係合受部２６の角２６ａに係合する。したがって、化粧ケース１は、４個の係合爪１４の傾斜面１６がそれぞれ係合受部２６の角２６ａに係合することにより、確実にスイッチ本体３に固着して、図３（ａ）及び（ｂ）のように組付けられる。尚、図３（ｂ）では、トリム２及びインナーパネル４の図示を省略している。
【００１９】
ところで、車両内に装着されるスイッチ等は、手探りで操作される場合が多く、表面に露出する化粧ケース１の縁に指先などに引っ掛かり、取り外し方向側（図３（ａ）中上側）に強い外力が作用する場合がある。
【００２０】
しかし、本実施形態においては、化粧ケース１に取り外し方向への外力が作用すると、係止弾片１３の傾斜面１６が係合受部２６に係合していることにより、係止弾片１３が取付時の変形方向と同じ方向（矢印Ａ方向）に撓むことなく、傾斜面１６に沿ってスイッチ本体３側（矢印Ｂ方向）に撓む。また、図４に示すように、この矢印Ｂ方向への撓みは規制部材としてのスイッチ本体３の側面２１ａによって阻止される。
【００２１】
このように、化粧ケース１とスイッチ本体３とが組み付けられた状態において、化粧ケース１とスイッチ本体３との間に取り外し方向への外力が作用すると、係止弾片１３が傾斜面１６に沿って矢印Ｂ方向に撓むようにしている。これにより、取り外し方向への外力を矢印Ｂ方向に分散することができる。そのため、化粧ケース１とスイッチ本体３との間に外力が付加されても、係止弾片１３が組付け時の撓み方向（矢印Ａ方向）と同じ方向に撓むことを防止でき、係合爪１４と係合受部２６との係合が簡単に解除されることはない。また、この係止弾片１３の撓みを側面２１ａによって規制することにより、側面２１ａ側への撓みによって係合爪１４と係合受部２６との係合が解除されることもない。その結果、化粧ケース１とスイッチ本体３とを強固に固着できる。
【００２２】
一方、本実施形態においてスイッチ本体３から化粧ケース１を意図的に取り外す場合には、１度トリム２を車体に固定しているピン等を取り外した後、トリム２をめくって係止弾片１３を外部より操作可能な状態にする必要があるが、その状態にて工具のドライバ等を使用して、係止弾片１３を矢印Ａ方向に撓ませることにより、係合爪１４と係合受部２６との係合を容易に解除することができ、簡単にスイッチ本体３から化粧ケース１を取り外すことができる。
【００２３】
なお、本実施の形態においては、化粧ケース１が取付部材、スイッチ本体３が被取付部材に対応するが、これに限定されることなく、２つの物品を係合爪によって固着するようにしたあらゆるものに採用可能である。
【００２４】
また、本実施の形態においては、規制部材を被取付部材に一体に設けるようにしたが、これに限定されることはなく、規制部材を係合爪が設けられている取付部材側に設けるようにしてもよいし、別の部品によって係止弾片の撓みを規制するようにして規制部材を構成してもよい。
【図面の簡単な説明】
【００２５】
【図１】本発明の実施の形態にかかるサンルーフスイッチの組み付け前の状態を示す正面図。
【図２】図１の係合爪と係合受部との関係を示す斜視図。
【図３】（ａ）は本発明の実施の形態にかかるサンルーフスイッチの組み付け状態を示す正面図、（ｂ）は（ａ）の底面図。
【図４】図３（ａ）のＣ−Ｃ線断面図。
【符号の説明】
【００２６】
１…化粧ケース（取付部材）、３…スイッチ本体（被取付部材）、１３…係止弾片、１４…係合爪、１６…傾斜面、２１ａ…側面（規制部材）、２６…係合受部。
【図１】
2006236764.tif 000003
【図２】
2006236764.tif 000004
【図３】
2006236764.tif 000005
【図４】
2006236764.tif 000006